(57)【要約】  本発明は、携帯電話産業および商業の解決法の発明であり、無意識に、直接、または遠隔で、携帯電話器を停止するシステムであり、その目的は、携帯デバイスが、電源に接続されていてもいなくて、バッテリ充電器に接続されているとき、または、無線電話器充電器のベースに載置されているときは常に「オフ」にして、主にバッテリ再充電処理が高電放電される気候条件にあるときに、ユーザの安全に危険がないようにすることであり、このために、バッテリ充電器のピンを接続開口に接続させておくようにして、接続が実行されている間は「オン／オフ」スイッチの「作動開始」機能を停止させる。過酷なっ高条件を検知すると、ユーザの接触的または反応動作とは独立して自動停止される遠隔安全システムも提供され、携帯デバイスが通常利用されているときに（充電器から外されているとき）ユーザに致命的な落雷をひきつけないようにする。【選択図】図４
2014504847.tif 000002
【特許請求の範囲】
【請求項１】
無意識に、直接、または遠隔で、携帯電話器を停止するシステムであって、
バッテリ充電器のピンの接続開口と位置がそろっている携帯デバイスの筐体の内壁に隣接する位置に設けられているオン／オフスイッチとして、携帯デバイス内にアセンブルされており、
前記オン／オフスイッチは、集積回路によって、前記携帯デバイスのキーボードに設けられているオン／オフスイッチの停止機能に接続されており、
前記ピンは、その経路の終端まで前記接続開口に挿入されると、停止ボタンと相互作用して、前記携帯デバイスの前記キーボードに設けられている前記オン／オフスイッチの前記停止機能に接続されている前記集積回路を閉じて、前記スイッチの作動開始機能を停止する、システム。
【請求項２】
前記携帯電話器の前記ピンが前記接続開口に接続されている間は、前記停止機能が作動しつづけ、前記作動開始機能が停止しつづける、請求項１に記載のシステム。
【請求項３】
前記充電器が電源に接続されていてもいなくても、前記停止機能が作動しつづけ、前記作動開始機能が停止しつづける、請求項２に記載のシステム。
【請求項４】
前記デバイスの第２の実施形態では、前記携帯電話器の本体が無線電話器充電器のベースのクレードルに載置されているときに、前記停止機能が作動しつづけ、前記作動開始機能が停止しつづける、請求項１から３のいずれか一項に記載のシステム。
【請求項５】
無意識に、直接、または遠隔で、携帯電話器を停止するシステムであって、
携帯デバイスには、具体的に前記デバイスを電源切断するための遠隔信号を、気候監視センターから受信するセンサが埋め込まれており、前記気候監視センターは、衛星経由で、ユーザの位置における過酷な気候条件を取得して、前記ユーザの位置は、前記携帯デバイスに取り付けられているＧＰＳタイプのデバイスにより追跡され、前記信号が、オン／オフスイッチの作動開始機能の起動を停止して、前記携帯デバイスを停止する、システム。
【請求項６】
前記停止させる信号は、前記ユーザが契約を結んでいる（hired）、携帯電話器（４）の送信塔との信号／接触を切り離す移動電話会社によって送信／有効化される、請求項５に記載のシステム。
【発明の詳細な説明】
【技術分野】
【０００１】
本開示の名称および以下の請求項に示している本特許は、電話産業および商業が独占する用途（主に、移動電話器（mobile telephone）であり、慣用的に「携帯電話器（cell phone）」として知られている）における解決法の発明である。
【０００２】
携帯電話産業および商業をパラメータとして想定して、出願人は、既にこの種類の製品に専用の多機能構想に付加価値を与えることのできる需要を見出した。この需要は、特にデバイスが（１）電源（バッテリー）を再充電するとき、（２）バッテリ充電器から切断されている場合も含む、通常の利用条件において、携帯電話器を利用しているユーザを守る必要性があることに起因している。
【０００３】
言い換えると、携帯デバイスの安全性を前提とする、および／または、製造業者が、通常は安全性を無視して、自律的に機能するときのみに（つまり、充電できない条件下においてバッテリを独占的に利用することによってのみ起動されるときのみに）保証されるように、携帯デバイスを利用する条件に制約を課す必要が叫ばれている。
【０００４】
上述したことを鑑みて、出願人は、本発明を、周辺デバイスとの有線通信への「充電ポイント」またはアクセスが、新しい「無効化デバイス」（たとえば、差別化された「ピン」）を受信すると、完全かつ即座に携帯デバイスを停止するデバイスとして創作した。
【０００５】
ユーザが厳しい気候条件の地域にあるときにはいつでも携帯デバイスを遠隔で停止するシステムを提供する可能性も検討された。
【０００６】
したがって、最先端の他の携帯デバイス（バッテリ充電器が必要である）では自明でも明らかでもないので、発明性に関する新規性を持ち、かつ、産業上の利用可能性ももっているために、主に特許として特許要件を満たしている（法律９．２７９の８条および１３条の規定内容を参照）「無意識に、直接、または遠隔で、携帯電話器を停止する」デバイスを提供すると言える。
【背景技術】
【０００７】
導入部で提示される構想について根拠を提供するために、以下で最先端の携帯電話器について簡単に説明を行い、マルチメディア通信を提供する上でのこの提案の素晴らしさだけではなく、出願人の技術的考察の限界についても、当業者がわかるようにして、本願請求項の携帯デバイスを完全に停止させる新規なデバイスの提供による利点を以下に開示する。
【０００８】
＜携帯デバイスの構想＞
セル（セルラーという命名の根拠である）に分割される地理的領域で利用可能な、音声およびデータを双方向に送信することができるのは電磁通信デバイスであり、このそれぞれが、トランスミッタ／レシーバによってサービス提供される。携帯電話器は、米国のベル研究所によって１９４７年に発明された。
【０００９】
携帯デバイスに埋め込まれている技術としては、情報の圧縮またはその配信に基づいて、電磁波を移動電話器に送信するための共に異なる（co-different）技術である。
【００１０】
第一世代（１Ｇ）は、アナログであり、ＮＭＴおよびＡＭＰＳシステムによって１９８０年代初頭に開発された。
【００１１】
第二世代（２Ｇ）では、技術がデジタルになり、１９８０年代後半から１９９０年初頭にかけて開発された（たとえばＧＳＭ（登録商標）、ＣＤＭＡ、およびＴＤＭＡなど）。
【００１２】
データ送信が可能でありおよびパッケージ技術が適合され、もはや回路の交換（circuit commutation）が不要となった、２Ｇの進化形である第２．５世代（２．５Ｇ）も考案された（ＧＰＲＳ、ＥＤＧＥ、ＨＳＣＳＤおよび１ｘＲＴＴ技術など）。
【００１３】
１９９０年後半には、移動電話器は、これもデジタルであるが、１９９０年後半から開発され、より多くのリソースをもつ第三世代（ＵＭＴＳおよびＥＶＤＯ等）、ひいては、第３．５世代（たとえばＨＳＤＰＡ、ＨＳＰＡ，およびＨＳＵＰＡ）に到達した。
【００１４】
最終的に今では、移動電話産業で第四世代（４Ｇ）についての話がよく聞かれるまでになっている。
【００１５】
振り返ると、１９３０年代には既にシカゴ警察が、無線波に基づく技術を利用するアナログデバイスを他の技術とともに利用していた。
【００１６】
＜マルチメディアとしての携帯デバイス＞
携帯デバイスに埋め込まれる技術の開発によって、カメラ、ＦＭラジオおよびＭＰ３リーダ等の複数のリソースが追加された。（３）電話器のなかには、Ｐａｌｍ、ＰｏｃｋｅｔＰＣといった手持ち型の集積コンピュータをもつものもあり、スマートフォンと称されている（英語の「スマート」、つまりインテリジェントな、「フォン」、つまり電話器、という意味である）。この主要な特性は、デバイス内に、提供されているリソースを利用するプログラムを搭載することができるという点である。一部の例を挙げると、辞書、翻訳器、ゲーム、および電子メールクライアントがある。最もよく利用されているオペレーティングシステムはＳｙｍｂｉａｎおよびＷｉｎｄｏｗｓ（登録商標）  Ｍｏｂｉｌｅであるが、Ｌｉｎｕｘ（登録商標）も指数関数的に伸びている。
【００１７】
高速データを提供する新たな第三世代（３Ｇ）技術では、ディスプレイの付近にフロントカメラを持つ新たな機器を利用することで、リアルタイムでビデオ会議ができる。
【００１８】
ほとんどの新たなモデルは、古い電話器との何らかの接続が提供されている（たとえばＩｒＤＡ（赤外線）またはＢｌｕｅｔｏｏｔｈ（登録商標））。これら技術は、主に電話器間でデータをやりとりするためのものである。
【００１９】
簡単にいうと、今日の携帯電話器は、もはや簡単なポケット型電話器ではない。１２．１Ｍｐｘのカメラが既に欧州では発売されており、ブラジルでは、８．１Ｍｐｚのものも見かけるようになっており、これらは、多くのデジタルカメラよりも解像度が高い。日本では、Ｗｉ−Ｆｉおよびブロードバンド３Ｇおよび４Ｇによってインターネットにアクセスができる。
【００２０】
携帯デバイスのなかには、３Ｄ品質のＰＳＰビデオゲームに匹敵するグラフィックをもつゲームが埋め込まれているものも登場している。２００３年には４０００色を持っていたスクリーンが、今では、１６００万色を持っている。サイズもまた大きくなっている。今日では、携帯電話器は、４インチに達するようなタッチスクリーンを持っている。数年もすると携帯電話器は、「エンターテイメントセンター」になるだろう。
【００２１】
＜携帯デバイスの動作上の自律性＞
データ送受信技術の大きな飛躍に加えて、移動電話器デバイスにおいて特筆すべき別の側面が、ここ十年の間の大きく進化した動作上の自律性である。
【００２２】
携帯デバイスは、動作するために電源を必要とし、これは、バッテリに相当する。
【００２３】
しかし、現在のバッテリが提供する自律性は、利用していない場合に数時間であり、携帯電話器を利用する場合には、これよりさらに短くなる。
【００２４】
＜問題の特定＞
これまでの数段落で述べたように、技術的進化によって携帯デバイスを直接マルチメディアデバイスにすることができるようになり、これにより、デバイスの振る舞いがこれまでとは大きく変化した。
【００２５】
電話をかけたり受けたりするためのデバイスとして利用された場合にも、利用可能時間（metered time of use）は、せいぜい一日に数時間に制約されていた。
【００２６】
現行の携帯デバイスに埋め込まれているマルチメディア機能が登場してから、日常的に利用される時間が何時間にもなり、実際はどの年代のユーザも連続使用している。
【００２７】
＜自律性と、利用時間に対する需要（demand of operational use）＞
携帯デバイスに埋め込まれているバッテリの自律性が、携帯デバイスの利用時間と同じペースで進化してこなかったために、バッテリを再充電している間であっても、これら携帯デバイスを見境なく利用するケースが普通になってきている。
【００２８】
このような次第で、携帯デバイスをバッテリ充電器につないで、そのビルで利用可能な電源網に接続させているユーザをよく見かける。
【００２９】
＜ユーザの安全性に対する危険＞
携帯デバイスに提供されているサービスおよびアプリケーションに対する無制限の利用要求は、ユーザがデバイスのバッテリを効果的に充電する暇を与えず、再充電している間にも利用されている状態がある。
【００３０】
バッテリの動作構造に負担を強いているためにその寿命が短くなるのに加えて、このような使い方をすると、ユーザの健康が損なわれる危険性もある。主にシステムが、電源網−バッテリ充電器‐携帯電話器‐ユーザからなっている場合、ユーザは、周辺領域の高周波落雷などの過酷な気候条件において放電による悪影響をこうむる可能性がある。
【００３１】
電源網−バッテリ充電器‐携帯電話器‐ユーザからなるシステムは、線形であることから、この最初の放電は、同じ強度でユーザの身体に伝わるので、落雷によって死に至る場合もある。
【００３２】
放電により危険が生じうる条件でデバイスを利用する際に過充電する条件全体に関する要素として、システムが電源網−バッテリ充電器‐携帯電話器‐ユーザからなる場合に過充電になりうる過酷な気候条件においても、ユーザが慣用的に電源網に携帯デバイスを直接接続しておく、という利用法である。
【００３３】
しかしこの条件だけが全てではない。というのも、利用中の気候条件（特に過酷な気候条件）を心配する必要がないことから、人々は通常、バッテリ充電器につないでいない間にも携帯電話器を利用する（つまり完全利用条件）からである。
【００３４】
簡単にいうと、携帯デバイス自身が落雷等の放電を引き付ける、という観点からは、健康に重大な被害（利用者が死に至る場合もある）を引き起こす可能性のあるのは、条件をひきおこすような過酷の条件下で利用する場合に、バッテリ充電器に接続されていてもいなくても携帯デバイスを利用する、ということである。
【発明の概要】
【００３５】
＜本発明の提案＞
＜１ａ．バッテリを充電中には携帯電話器を停止するシステム＞
本発明の背景技術として示したことに基づいて、出願人は、「電源網−バッテリ充電器‐携帯電話器‐ユーザ」からなるシステムの鎖を「破壊する」という利点を実現する、「無意識に、直接、または遠隔で、携帯電話器を停止するシステム」を考案して、これにより、「電源網−バッテリ充電器‐携帯電話器」からなるシステムを単独、且つ、排他的に提供することを可能とする。
【００３６】
または、出願人は、システムが、電源から切り離された「電源網−バッテリ充電器‐携帯電話器」からのみなる場合に、「携帯デバイスを停止する」ための新規のデバイスを考案した。
【００３７】
携帯デバイスを作動させるためにオン／オフスイッチが存在していることを考えると、この機能が、「故意の」自然な機能であるということができる（つまり、ユーザは、デバイスを事実上（effectively）停止（または作動開始））するために、オン／オフスイッチを押す必要がある。
【００３８】
本発明では、携帯デバイスを停止するための新規なデバイスによって、ユーザがバッテリ充電器の「ピン」を携帯デバイス自身の入力に挿入しているときに、「停止」を「無意識に」起動することができる。
【００３９】
最後に、携帯デバイスを停止させる新規なデバイスの用途は、バッテリを充電しているときに、ユーザの健康および財産に明らかに危険があることが明白なその他のいかなる条件下で、ユーザが携帯デバイスの電源を切らない場合、ユーザの慣用的な振る舞いに対して効率よく応答する。
【００４０】
＜１ｂ．明らかな特徴＞
バッテリ充電器に接続された、携帯デバイスを「無意識に停止する」ために、デバイスは、無意識に、具体的にはバッテリ充電器の接続コードを接続するための開口と位置がそろっているデバイス筐体の内壁に隣接する位置の「オフボタン」をたとえば押下することで「オン／オフ」スイッチの「停止」を無意識に起動する。
【００４１】
したがって携帯電話器がオンになり、ユーザが、バッテリ充電器の接続コードの終端に取り付けられているピンを、ピンがその経路の終端まで移動したときに接続開口に挿入すると、「オフ」ボタンと相互作用を始めて、これにより、集積回路によって接触が起動される（たとえば、携帯デバイスの「オン／オフ」スイッチの「停止」機能）。
【００４２】
加えて、この接触は、一時的にこれと同じ「オン／オフ」スイッチの「作動開始」機能をディセーブルして、ピンが接続開口に入れられている間にユーザが「無意識」にこれを起動しないようにする。
【００４３】
携帯電話器は、ピンが接続開口から取り除かれた後にのみ再起動可能であり、これにより「オン／オフ」スイッチの「作動開始」機能を再起動することができる。
【００４４】
他方で、本発明では、この「オン／オフ」スイッチの「作動開始」機能を一時的におよび自動的に停止するための別の条件も提供されており、ユーザが「無意識に」起動しないようにして、この目的のために携帯デバイスが、充電器の従来の「ピン」を提供されるのに加えて、オプションとして携帯電話器の「ベース／充電器」に設けられる必要があり、この「ベース／充電器」は、携帯電話器と互換性があり有線／無線接続されており、これによって電源ジャック、静電波またはその他の技術的方法で携帯電話器のバッテリを充電する。
【００４５】
＜２ａ．過酷な気候条件のもとで、携帯デバイスを遠隔で、無意識に停止するためのシステム＞
ユーザ「主導」で行われるかに関わらず、ユーザが過酷な気候条件を受ける可能性があることを示す遠隔信号を示す遠隔信号が受信されると、ユーザの携帯デバイスは自動的に停止される。
【００４６】
＜２ｂ．明らかな特徴＞
発明の動作を提供するために、センサ「タイプ」のデバイス、または、遠隔信号を受信するための任意の技術的システムが、携帯デバイスの機能本体に取り付けられて搭載され、これにより、衛星、アンテナ、その他（または携帯デバイス自身）によって電磁波を送受信して通信を行い、ユーザが移動している領域の雨、雷、その他の過酷な気候状態、またはユーザの健康または財産に明らかな危険があると思われるその他のいずれであってもよい条件を検知して、このような過酷な条件が特定されたときに、ユーザが介入する必要なしに携帯デバイスの電源を即座に切り、過酷な条件（たとえばその領域のユーザに対する雷その他の危険な状態）がなくなった後にのみ再起動することができるようにする。
【００４７】
＜３．ユーザに警告する条件＞
第１の実施形態では、携帯デバイスを安全に利用する条件を統一するために、ユーザは、不適切に利用されていたり、バッテリ充電器（これは電源に接続されていてもいなくてもよい）に接続されていたりする場合、従来の手段（たとえば、デバイスのマニュアルに示されていてもよいし、示される必要があったり、携帯電話器自身に添付されていてもよい「警告」または「禁止／危険」に関する使用説明書等）で警告される必要がある。
【００４８】
加えて、過酷な気候条件のもとでは、警告／禁止／危険に関する使用説明書が「携帯」製品に取り付けられて、ユーザに対して、充電器に接続されていてもいなくてもデバイスを利用しないように警告することのできる使用説明書および作動マニュアルを携帯デバイスに提供したりデバイスに取り付けたりする必要がある。
【００４９】
明細書の本記載を補足して、本発明の特徴の理解を助けるために、携帯デバイスを無意識に「停止させるデバイス」の好適な実施形態を限定ではなく例として示す一群の図面を提供するが、これは本発明の範囲を制限する意図はなく、本発明の範囲は、一群の請求項の内容によってのみ制限される。
【図面の簡単な説明】
【００５０】
【図１】携帯デバイスの動作サポートシステムの概略図である。
【図２】携帯デバイスの動作サポートシステムの概略図であり、バッテリを再充電しているときであっても携帯デバイスを見境なく利用する条件を示している。
【図３】携帯デバイスの動作サポートシステムの概略図であり、バッテリを充電しているときに携帯デバイスが「利用できない」新たな条件を示す。
【図４】携帯デバイスの動作サポートシステムの概略図であり、バッテリ充電器が接続されているが、電源からは切断されている、携帯デバイスが「利用できない」新たな条件を示す。
【図５】携帯電話器を「無意識に停止するデバイス」の第１の実施形態が埋め込まれているバッテリ充電器と携帯電話器との間の直接的接続を示す。
【図５ａ】携帯電話器を「無意識に停止するデバイス」の起動の直前の条件の概略図である。
【図５ｂ】携帯電話器を「無意識に停止するデバイス」を起動する条件の概略図である。
【図５ｃ】携帯電話器を「無意識に停止するデバイス」の条件の概略図である。
【図６ａ】携帯デバイスの動作サポートシステムの概略図であり、無線電話器のベースのクレードルに載置されたときの（主にベースのクレードルに携帯デバイスが載置される前）携帯デバイスが「利用できない」新たな条件を示す。
【図６ｂ】携帯デバイスの動作サポートシステムの概略図であり、無線電話器のベースのクレードルに載置されたときの（主にベースのクレードルに携帯デバイスが載置された後）携帯デバイスが「利用できない」新たな条件を示す。
【図７】ユーザが放電を受ける過酷な気候の圏内に入ったときの、携帯デバイスの自動遠隔切断システムの概略図である。
【図８】通常の利用状態において携帯デバイスを利用しないよう、または、過酷な気候条件であってもなくてもバッテリ充電器に接続しないようにユーザに警告するために、携帯電話器の本体の裏に印刷スティッカーとして添付するための推奨／禁止／危険を示している。
【図９】過酷な気候条件においてまたは電気充電器に接続されているときに、携帯デバイスを利用しないようにユーザに警告するために、携帯デバイスの利用上の注意を書いた使用説明書マニュアルに印刷スティッカーとして添付するための推奨／禁止／危険を示している。
【発明を実施するための形態】
【００５１】
以下の詳細な記載は、一群の請求項に明示されている内容によってのみ制限される本発明の範囲を制限する意図はない「無意識に、直接、または遠隔で、携帯電話器を停止するシステム」の好適な実施形態を示す添付図面を参照して読まれ、解釈されることを意図している。
【００５２】
＜技術的根拠＞
最初に、本発明の背景技術に開示して示した内容の理解を統合するために、図１が、携帯デバイスをサポートするために必要な一群のコンポーネント（つまり、電源（１）、接続コードを含む充電器（２）、バッテリ充電器（２）の接続コードの終端の接触ピン（３）、および、携帯デバイス（４））を示している。
【００５３】
図２は、電源（１）、接続コードを含む充電器（２）、ピン（３）、および、携帯電話器からなる従来のシステムを示しており、この現実的な結果として、この従来の構成では、ユーザ（５）が、ピン（３）によってバッテリ充電器（２）に接続されていても（バッテリ充電器（２）は、電源（１）に接続されている）、携帯デバイス（４）を利用することができ、この条件は、状況によってはユーザの健康に危険が及ぶ可能性がある。
【００５４】
＜１．バッテリを充電中に携帯電話器を停止するシステム＞
この問題を解決するために、本願の「無意識に、直接、または遠隔で、携帯電話器を停止するシステム」を考案し、このシステムは、電源（１）に接続されている場合も（図３参照）されていない場合もある（図４参照）バッテリ充電器（２）に接続されている。
【００５５】
この「安全システム」は、携帯デバイス（４）内に、特に、図５ａに示すように、バッテリ充電器（２）の電源コードの終端に画定されているピン（３）の接続開口（４ｂ）と位置がそろっている携帯デバイス（４）の筐体の内壁に隣接する位置に設けられている「オン／オフスイッチ」（またはその他の将来の技術のデバイス）（６）として、埋め込まれている。このオン／オフスイッチ（６）は、集積回路（７）によって、携帯デバイスのキーボード（４ａ）に設けられているオン／オフスイッチ（４ｃ）の「停止」機能に接続されている（図５および図５ａ参照）。
【００５６】
このようにして携帯デバイス（４）がオンにされ、ユーザ（５）が、ピン（３）が経路の終端まで、接続開口（４ｂ）内にバッテリ充電器（３）の接続コードの終端に位置しているピン（３）を挿入すると、集積回路（７）（たとえば、携帯デバイス（４ａ）のオン／オフスイッチ（４ｃ）の「停止」機能）によって接触が起動される（この条件は図５ｂに示されている）。
【００５７】
関連する事実として、未知のデバイスは、主要なピンの機能（８）の効果には干渉しない（つまり、バッテリ（８）の再充電のための接触を提供しない）。
【００５８】
携帯デバイス（４）が再起動されるのは、ピン（３）が接続開口（４ｂ）から抜きだされた後であり、こうすることで、オフボタン（６）が元の載置位置に戻り、集積回路（７）との接触がなくなり、「オン／オフ」スイッチ（４ｃ）の「作動開始」機能を再起動して、ユーザが自身のデバイスを起動して、その全ての機能にアクセスすることができるようになる。（図５ｃ参照）
【００５９】
他方で、本発明の第２の実施形態では、デバイス（４）は、ベース（１１）のクレードル（１１ａ）に携帯デバイス（４ａ）が載置されているとき、携帯デバイス（４）の「オン／オフ」スイッチ（４ｃ）を「停止」する機能をもつ（図６ａ、図６ｂをそれぞれ参照）。
【００６０】
＜２．遠隔安全システム＞
携帯電話器が通常利用されているときは（つまり充電器から切断されているときは）、過酷な気候条件が検知されると自動的に停止されて、ユーザに致命的な落雷をひきつけないようにして、このような事態は、具体的にデバイスを電源切断するための遠隔信号（Ｓｉ）を、気候監視センター（Ｃｅ）から受信するセンサ（１２）によってデバイス（４）内で予測され、気候監視センター（Ｃｅ）は、衛星（Ｓａ）経由で、ユーザ（Ｘ、Ｙ）の位置における過酷な気候条件を取得して、ユーザ（Ｘ、Ｙ）の位置は、これも携帯デバイス（４）に取り付けられているＧＰＳタイプのデバイスにより追跡され、信号（Ｓａ）が、「オン／オフ」スイッチ（４ｃ）の機能の「作動開始」をディセーブルして、携帯デバイス（４）自身をユーザの介入とは独立して自動的に停止にする。（図７参照）
【００６１】
別の例として、この停止信号（Ｓｉ）は、ユーザ（５）が契約を結んでいる（hired）移動電話会社によって送信／有効化されてもよく、移動電話会社は、携帯電話器（４）の送信塔との信号／接触を切り離し、落雷の危険性がなくなるまでこれをディセーブル状態に維持する。
【００６２】
＜ユーザの警告条件＞
本発明の発明者の構想は、ユーザによる携帯電話器の正しく安全な利用という不可欠な要件を徹底していくために、バッテリが充電器（２）で充電されている間は、デバイス（４）の利用を禁止することを示す「警告信号」（１０）によってユーザの注意を喚起し、禁止、警告、危険等としてのこの警告信号（１０）は、携帯デバイス（４）の本体（４ａ）の裏面（４ｄ）に添付したり（図８参照）、または、使用説明書マニュアル（９）の図解に提供されるべきである（図９参照）。
【００６３】
本発明の構成の詳細で記載した実施形態は、あくまでも例示を目的として示されている。添付請求項のみが定義する本願に開示されている対象物から逸脱しない変形例、修正例、変更例等が、本発明の構成の他の実施形態から当業者には明らかである。
【００６４】
上述したまたは例示した内容に基づいて、以下に請求する「無意識に、直接、または遠隔で、携帯電話器を停止するシステム」は、産業財産法に基づく特許を統括する運用基準に合致しており、その結果、各恩恵を受けるに値する。
【図１】
2014504847.tif 000003
【図２】
2014504847.tif 000004
【図３】
2014504847.tif 000005
【図４】
2014504847.tif 000006
【図５】
2014504847.tif 000007
【図５ａ】
2014504847.tif 000008
【図５ｂ】
2014504847.tif 000009
【図５ｃ】
2014504847.tif 000010
【図６ａ】
2014504847.tif 000011
【図６ｂ】
2014504847.tif 000012
【図７】
2014504847.tif 000013
【図８】
2014504847.tif 000014
【図９】
2014504847.tif 000015
【国際調査報告】
2014504847.tif 000016
2014504847.tif 000017
2014504847.tif 000018
2014504847.tif 000019
2014504847.tif 000020
2014504847.tif 000021
2014504847.tif 000022
2014504847.tif 000023